Podtech/llm-jp-corpus-v4-ja_patent huggingface dataset:
(57)【要約】      （修正有）【課題】柔軟性のザルは、コンパクトにたためるが、留め具がないと元の大きさに戻ってしまっていた。本発明は、折りたたんだ際、自身の先端を穴にくぐらせ、折りたたみが固定出来る、柔軟性のザルを提供する。【解決手段】柔軟性のザル（１）に持ち手のような穴（２）を設ける。穴を上下にした場合、ザルを左右から折りたたみ、その後上下にたたみ、先端（３）を穴（２）にくぐらせ固定させる。【選択図】図２
2013255768.tif 000002
【特許請求の範囲】
【請求項１】
折りたたみが固定出来る、持ち手のついた柔軟性のザル。
【発明の詳細な説明】
【技術分野】
【０００１】  本発明は、柔軟性のザルに持ち手のような穴を設け、たたんだ際その穴に本体の先端をひっかけ、コンパクトに固定ができるようにしたものである。
【背景技術】
【０００２】  柔軟性のザルは、コンパクトにたためるが、留め具でとめないと元の大きさに戻ってしまうことが一般的である。
【発明の概要】
【発明が解決しようとする課題】
【０００３】  従来の柔軟性のザルには次のような欠点があった。
（イ）、小さくたためるが、留め具でとめないと元の大きさに戻ってしまう。
本発明は、これらの問題点を解決するためになされたものである。
【課題を解決するための手段】
【０００４】  柔軟性のザル（１）に、持ち手のような穴（２）を設ける。
【発明の効果】
【０００５】  本発明を使用することによって、折りたたんだ先端を穴にくぐらせ、広がらないよう固定し、道具を使うことなくコンパクトに固定することができる。
【図面の簡単な説明】
【０００６】
【図１】本発明のふかん図
【図２】本発明の使用途中を示すふかん図
【図３】本発明の使用状態を示すふかん図
【発明を実施するための形態】
【０００７】  以下、本発明の実施の形態を説明する。
柔軟性のザル（１）に持ち手のような穴（２）を設ける。穴を上下にした場合、ザルを左右から折りたたみ、その後上下にたたみ、先端（３）を穴（２）にくぐらせ固定させる。
【符号の説明】
【０００８】１  柔軟性のザル
２  持ち手のような穴
３  先端
【図１】
2013255768.tif 000003
【図２】
2013255768.tif 000004
【図３】
2013255768.tif 000005
(57)【要約】【課題】リンパマッサージは人の手を借りないと十分な効果が得られず、又空気圧マッサージ器は病院に行かないと受けにくいという点がある。一人でも容易にリンパ液を戻すことができる器具を提供する。【解決手段】手首や足首と同程度の太さのリング状のゴムを用い、これを足首等に嵌めて、手で順次ゆっくりと体の中心部に移動させる。リング状のゴムを複数本用いることにより、より多くリンパ液を戻すことができる。足首からゆっくり転がして、体の中心部に移動させる作業を繰り返し数回行う。腿、上肢に対しても同様に行う。【選択図】図１
2013255712.tif 000002
【特許請求の範囲】
【請求項１】
ゴム材質で造られ、直径が手首や足首の太さに近く、断面が概ね円、又はチューブ状をしたリンパ液を戻すための器具
【発明の詳細な説明】
【技術分野】
【０００１】
本発明は、手や足のリンパ液を戻すための器具に関する。
【背景技術】
【０００２】
リンパ液を戻すための器具としては、空気圧を使って足首等から順次体の中央に加圧してゆくメドマーと呼ばれる器具がある。またリンパマッサージは効果があるが、他人の手助けが必要だった。
【先行技術文献】
【特許文献】
【０００３】
【特許文献１】特開2003ー79688  空気圧マッサージ器具
【発明の概要】
【発明が解決しようとする課題】
【０００４】
リンパマッサージは他人の手を借りないと出来ず、又空気圧マッサージは病院に行かないと受けにくいという点があり、自分自身で手軽にリンパを戻せる器具がなかった。
【課題を解決するための手段】
【０００５】
手首や足首の太さより若干小さい直径のゴム輪を１本から数本用いる。ゴム輪の断面の直径は２，３mmから２０mm位で、手で転がして移動させやすい直径が好ましい。ゴムの弾性は例えば足では足首から膝下まで来たときにあまりきつすぎないほうが良い。足首にゴム輪を２，３本嵌め、手で順次ゆっくりと体の中心部に移動させる。ゴム輪を複数本用いることにより、リンパ液をより多く戻すことができる。足首から膝下までゴム輪を転がしてくる作業を数回行う。腿、上肢
【発明の効果】
【０００６】
リング状のゴムを足首等から順次回転させながら、体の中心部に移動させることにより、リンパ液を一人でも容易に効率よく戻すことができる。リンパ液を戻すことにより、むくみの解消、リンパ浮腫の予防、免疫力の改善効果が見込まれる。
【図面の簡単な説明】
【０００７】
【図１】本発明の斜視図
【図２】本発明の平面及び側面図
【図３】本発明の断面図
【図４】チューブ状の本発明の断面図
【発明を実施するための形態】
【０００８】
断面が円に近いリング状のゴムを足首に１本から数本嵌め、手で順次、ゆっくりと体の中心部に向かって、転がして上げてくることにより、重力で下方に滞留したリンパ液を効率よく体の中心部に戻すことができる。腿、上肢に対しても同様に行う。
断面がチューブ上のゴムリングの方が１本でリンパ液を戻す効果は大きく得られる。
【産業上の利用可能性】
【０００９】
軽量で手軽に使えるため、健康器具としても使うことができ、リンパ液の戻りのよくない人や健康な人に対してのリンパ液を戻す器具として使える。
【符号の説明】
【００１０】
１  リング状のゴム
【図１】
2013255712.tif 000003
【図２】
2013255712.tif 000004
【図３】
2013255712.tif 000005
【図４】
2013255712.tif 000006
(57)【要約】【課題】体の一部に巻き付けて使用するネックレス、ブレスレット、アンクレット、指輪等の装身具において、貴金属線や金属線を短く切断しフッ素樹脂やシリコン樹脂といった樹脂製チューブに複数個入れて装身具を作成することによって、原材料の使用率を可能な限り低減し、安価で十分な強度もあり、金属アレルギーの心配も不要な装身具を提供する。【解決手段】貴金属線や金属線を短く切断し、透明か半透明のフッ素樹脂やシリコン樹脂に入れて、体の一部に巻き付ける装身具とする。【選択図】図１
2013255528.tif 000002
【特許請求の範囲】
【請求項１】
貴金属線や金属線を短く切断し、透明もしくは半透明の樹脂製チューブに入れてなる、体の一部に巻き付ける装身具。
【請求項２】
貴金属線や金属線を短く切断し、透明もしくは半透明で色の付いた樹脂製チューブに入れてなる、体の一部に巻き付けてなる請求項１に記載の装身具。
【発明の詳細な説明】
【技術分野】
【０００１】
この発明は体の一部に巻き付けて使用するネックレス、ブレスレット、アンクレット、指輪等の装身具において、原材料の使用率を可能な限り低減し、安価で十分な強度もあり、金属アレルギーの心配も不要な装身具に関するものである。
【背景技術】
【０００２】
体の一部に巻き付けて使用する装身具は、金属で作成された部品を多数連結して成っている。
【０００３】
そのため、ある程度の強度を必要とすると、部品の原材料の使用量が多くなり、原材料価格の高い装身具となっていた。
【０００４】
しかし、原材料価格の高い装身具は末端市場に受け入れられる可能性の低いものとなっていて、いかに原材料使用率を抑え、強度のあるものを市場に供給することができるかが、装身具業界の課題となっている。
【先行技術文献】
【特許文献】
【０００５】
【特許文献１】登録実用新案３０６１５３３
【発明の概要】
【発明が解決しようとする課題】
【０００６】
登録実用新案３０６１５３３は高価な貴金属素材を使用していないため、原価を低く抑えることが可能であるが、高級感と、ある程度の付加価値が見いだせないものであった。
【０００７】
この発明は前述した問題点を解決するものであり、体の一部に巻きつけて使用するネックレス、ブレスレット、アンクレット、指輪等の装身具において、原材料の使用率を限りなく低減し、安価で十分な強度も得られ、金属アレルギーの心配も不要な装身具を提供しようとするものである。
【課題を解決するための手段】
【０００８】
以上の課題を解決するため、この発明は細い貴金属線や金属線を短く切断し、透明もしくは半透明の樹脂チューブに複数入れて、装身具とする。
【０００９】
この発明は透明もしくは半透明か、多少の色が付けられた半透明の樹脂チューブの中に、貴金属線や金属線を短く切断し複数入れて、留め具を付け、デザインされた飾りを付けて、安価な装身具を提供する。
【００１０】
この発明は透明もしくは半透明か、多少の色が付けられた半透明の樹脂チューブの中に、貴金属線や金属線を短く切断し入れ、留め具を付け、デザインされた飾りを付けて、樹脂チューブの強度によって成る高強度な装身具を提供する。
【００１１】
この発明は透明もしくは半透明か、多少の色が付けられた半透明の樹脂チューブの中に、貴金属線や金属線を短く切断し入れ、、留め具を付け、デザインされた飾りを付けて、金属アレルギーの心配のない装身具を提供する。
【発明の効果】
【００１２】
この発明によれば、樹脂製のチューブの中に貴金属線や金属線を短く切断して入れることによって、原材料使用を製造可能な限界まで低減させ、高強度で、金属アレルギーの心配のない装身具を提供することが可能となった。
【図面の簡単な説明】
【００１３】
【図１】透明もしくは半透明か、多少の色が付けられた半透明の樹脂チューブの中に、貴金属線や金属線を短く切断し入れ、留め具を付け、デザインされた飾りを付けて成る、金属アレルギーの心配のない装身具の説明図である。（実施例１）
【発明を実施するための形態】
【００１４】
この発明に使用される樹脂チューブは、透明もしくは半透明か多少の色が付けられたフッ素樹脂やシリコン樹脂である。
【００１５】
フッ素樹脂やシリコン樹脂は医療用としても広範囲に使用されていて、その安全性は極めて高いことが知られている。
【００１６】
また、フッ素樹脂やシリコン樹脂は、薬品などにも強く、人体の分泌物で変性することはほとんどない。
【００１７】
そして、フッ素樹脂やシリコン樹脂は貴金属や金属でできた線やチェーンと比べると、非常に安価である。
【００１８】
さらに、フッ素樹脂やシリコン樹脂は、人体がアレルギーを引き起こすことはほとんどない。
［実施例１］
貴金属製の０．２mmの線を使用し、フッ素樹脂のチューブの中に入れてネックレススの製造をし、さまざまなテストを行った。
【００１９】
貴金属製の０．２mmの線を２mm程度の流さで切断し、その両端を丸め、フッ素樹脂のチューブに複数個入れた後、留め具と留め板を接続してデザイン飾りも装着して、図１のような４０cmの長さのネックレスを製造した。
【００２０】
実施例１のネックレスに使用した貴金属材料は、一般的なネックレスと比較して重量が３０％ほどであった。
【００２１】
実施例１のネックレスの強度を調べるため、引張強度測定器にネックレスの両端を引っかけ、引張強度の測定をしたところ、切断にかかる圧力は５ｋｇｆで、一般的なネックレスの約２倍の強度があった。
【００２２】
実施例１のネックレスの人体への影響を調べるため、金属アレルギーの既往症があって、ネックレスを着けられない被験者に、約１０時間の装着をしたが、かゆみや発疹などのアレルギー反応は皆無だった。
【産業上の利用可能性】
【００２３】
この発明の、体の一部に巻き付けて使用するネックレス、ブレスレット、アンクレット、指輪等の装身具は、原材料の使用率を可能な限り低減し、安価で十分な強度もあり、金属アレルギーの心配も不要な装身具を市場に提供できるものである。
【符号の説明】
【００２４】
１  留め具
２  留め板
３  樹脂製チューブ
４  貴金属部品
５  飾りデザイン
【図１】
2013255528.tif 000003
(57)【要約】【課題】従来の収納家具であるタンスや収納ケースにおいて、引き出しの長さによっては使いづらかった奥のスペースを使いやすくするとともに、季節や家族による使い分けをしやすくする。更に引き出し過ぎによる抜け落ちを防止する。【解決手段】収納ケースの一段ごとに対し４方向に引き出しを取り付ける。この引き出しは片側が本体の４本の支柱にそれぞれ固定されており、もう片側を約９０度引き出すことで引き出し幅を少なくしつつ、ほぼ全体を引き出せる。更に収納ケース全体が回転板の上に乗っていることで、利用面を簡単に手前に持ってくることが出来る。そのため一面ごとに春夏秋冬をイメージさせるデザインを施せば、季節による衣類の仕分けなどに便利である。【選択図】図１
2013255539.tif 000002
【特許請求の範囲】
【請求項１】
一段一段それぞれ４方向に引き出しがあり、引き出しの片側を支柱に固定して、もう片方を手前に９０度引き出すことで引き出し幅を少なくしながら奥のスペースを有効に活用でき、さらに底部に回転板を取り付けることで全体が３６０度回転するので容易く利用面を手前に持ってくることが出来る収納ケース。
【発明の詳細な説明】
【技術分野】
【０００１】
本発明は収納ケースの四面に引き出しを付けることにより、使用区分が明確になることを目的とし、また全体を回転させることで使用する引き出しを簡単に正面に持ってくることが出来るようになっている。
【背景技術】
【０００２】
従来の収納ケースでは、奥に仕舞った衣類や小物を取り出すとき、引き出しを大きく開ける必要があった。
【先行技術文献】
【非特許文献】
【０００３】
【非特許文献１】現在市販の収納ケースは、前面にのみ引き出しがあるタイプのみで、収納ケースの奥行きがそのまま引き出しの長さと同じである。そのため少ししか引き出さないと奥が使えず、引き出し過ぎると抜けてしまうことがある。
【発明の概要】
【発明が解決しようとする課題】
【０００４】
奥の空間が使いづらかった従来の収納ケースを、奥行きを少なくして引き出し幅を短くする。
【課題を解決するための手段】
【０００５】
収納ケースの底部に回転板を設け、東西南北四面に引き出しを取り付けることにより、簡単に利用面を正面に持ってくることが出来る。そして引き出しの片側を支柱で本体に固定し、逆側を手前に９０度引き出すことで全容積を活用でき、また奥行きが半分になることで引き出しを大きく開ける必要がない。さらに片側を支柱に固定していることで引き出しが抜け落ちる心配もない。
【発明の効果】
【０００６】
４方向に引き出し面があることにより、引き出しの前面に季節を表すデザインなどを施すことで、季節に応じた利用分けが簡単に行えたり、家族で使用面を分ける場合にも便利である。
【図面の簡単な説明】
【０００７】
【図１】収納ケース全体の斜視図である。
【図２】収納ケースを上から見た図である。
【発明を実施するための形態】
【０００８】
本発明は引き出しのひとつひとつをコンパクトにし、使い勝手をよくした収納ケースで、任意の段（図面１では３段）それぞれに引き出しを４方向に取り付けて、ケース全体を回転板の上に乗せたものである。
【実施例】
【０００９】
本発明を押し入れなどに設置し、利用面を季節に応じて決めておけば、衣類などの分別に便利である。
【符号の説明】
【００１０】
１  天板
２  取っ手
３  引き出し
４  回転板
5  支柱
【図１】
2013255539.tif 000003
【図２】
2013255539.tif 000004
(57)【要約】【課題】解決しようとする問題点は、従来の刈払機の巻付防止具は、刈払機のギヤケース部を完全に包み込んでいないとともに巻付防止具の側面が垂直になっているために、刈刃の回転に伴い、刈草などが、刈払機のギヤケース部に巻き付くとともに、小石などが上方に飛散して危険であり、この問題点を解消することにある。【解決手段】本カバーは刈刃の上面に下面が当接する円形の当接部と円形の当接部の全周から上方に行くに従って径大となる様、凸曲面状円形に延設され、刈払機の先端ギヤケース部の上端よりも上方に端縁を突出させた飛散防止部とを備え、刈刃上面ギヤケース部に刈草などが巻き付くことを防止するとともに、飛散した小石などを落とすことができる。【選択図】図１
2013255482.tif 000002
【特許請求の範囲】
【請求項１】
刈払機の刈刃の上面に下面が当接する円形の当接部と当接部の全周から上方に行くに従って径大になるう、凸曲面状円形に延設され、刈払機の先端キヤケース部の上端よりも上方に端縁を突出させた、凸曲面状円形の飛散防止部とを備えた本発明のカバーで刈払機の先端ギヤケース部を包み込む様に取り付けたことを、特徴とする、刈払機である。
【発明の詳細な説明】
【技術分野】
【０００１】  本発明は、刈払機のカバーに関するものである。
【背景技術】
【０００２】  刈払機は回転する刈刃で草を刈る農具である。このものは、刈刃が回転するために、刈刃上面中心部に刈草が巻き付き、その都度エンジンを停止して巻き付いた草などを除去しなければならず、作業効率が悪いという問題点があった。また、刈刃の回転に伴い、小石などが上方に飛散して危険であるという問題点があった。【０００３】  刈草が巻き付くのを防止する対策として、種々提案されている。（例えば特許分献１参照）の刈払機の巻付防止具は円筒形形状の巻付防止具を形成し、刈刃上面に上向きに設け、刈刃上面中央に密着して回転させているものである。
【先行技術文献】
【特許文献】
【０００４】
【特許文献１】特関００９−２２２１５号公報
【発明の概要】
【発明が解決しようとする課題】
【０００５】しかしながら従来の巻付防止具は、刈払機先端ギヤケース部を完全に包み込んでいないとともに巻付防止具の側面が垂直になっているために、刈刃の回転に伴い浮き上げられた刈草などが、先端ギヤケース部に巻き付くとともに、小石などが上方に飛散して、危険であるという問題点があった。本発明は上記の問題点に監みてなされたものであり本発明の目的は、刈草などが刈払機の先端ギヤケース部に巻き付くこと無く、使い勝手が良いとともに小石などが上方に飛散することが無く安全に作業ができる、刈払機を提供することにある。
【課題を解決するための手段】
【０００６】    ０００６
刈払機の刈刃の上面に下面が当接する円形の当接部と当接部の全周から、上方に行くに従って、径大になるよう、凸曲面状円形に延設され刈払機の先端ギヤケース部の上端よりも上方に、端縁を突出させた凸曲面状円形の飛散防止部とを備えた本発明のカバーで、刈払機の先端ギヤケース部を包み込む様に取り付けたことを特徴とする。
【発明の効果】
【０００７】  刈払機の刈刃の上面に下面が当接する円形の当接部と当接部の全周から上方に行くに従って径大になるよう、凸曲面状円形に延設され刈払機の先端ギヤケース部の上端よりも上方に端縁を突出させた凸曲面状円形の飛散防止部とを備えた本発明のカバーで刈払機の先端ギヤケース部を包み込む様に取り付けたことを特徴とするものであるから刈草などが刈払機の先端ギヤケース部などに巻き付くことがなく、使い勝手が良いとゆう効果が有り更に刈草や小石などが上方に飛散しても本発明のカバーの凸曲面状円形の飛散防止部に当たり小石などが下方向に落とされるため安全であると云う効果がある。
【図面の簡単な説明】
【０００８】
【図１】図１は本発明のカバーを設置した刈払機のギヤケース部断面。
【図２】図２はギヤケース内の部品断面図である。
【図３】図３は本発明のカバーを設置した刈払機先端部の平面図。
【図４】図４は本発明のカバーを設置した刈払機先端部の断面図。
【発明を実施するための形態】
【０００９】
【実施例１】
【０００９】  刈払機の動力源（図示せず）の回転が複数の伝導装置（説明せず）を介して先端ギヤケース部、断面図図１断面図の４に伝導される。本発明のカバーは図２に示す刈刃取り付け部品４のインロー部８にギヤケースを包み込む様に取り付ける、更に部品４のインロー部８に刈刃を付けて図１のワツシヤー６を介して取付けねじ７で連結する。【００１０】  本発明のカバーは刈刃の外径より２０ミリメートル乃至５０ミリメートル程小さくする。【００１１】本発明のカバーは刈刃の外径より２０ミリメートル乃至５０ミリメートル程大きくてもよいが、メインパイプ下部にカバーの端縁が当らないことである。【００１２】本発明のカバーの形状は凸曲面状円形となっている。
本発明のカバーの形状は凹曲面状円形でもよい。
本発明のカバーの当接部の外周は８０ミリメートル乃至１００ミリメートル程である。
本発明のカバーは金属プレス加工である。
【符号の説明】
【００１３】１  カバー
２  刈刃
３  刈払機のギヤカバー
４  刈払機の刈刃取付け部品
５  刈払機メインパイプ
６  押へ部品
７  取付けねじ
８  飛散防止部
９  当接部
１０  メインパイプ下部
【図１】
2013255482.tif 000003
【図２】
2013255482.tif 000004
【図３】
2013255482.tif 000005
【図４】
2013255482.tif 000006
(57)【要約】      （修正有）【課題】収納、増設の手間を少なくし、台風などの強風による揺れを軽減させるLED植物灯を提供する。【解決手段】LED植物灯に吊り下げ用ワイヤー取付フック１、電線２を付ける事により、収納、増設の手間を少なくし、固定用ワイヤー４により強風による揺れを軽減できるLED植物灯である。【選択図】図１
2013255435.tif 000002
【特許請求の範囲】
【請求項１】
LED植物灯に吊り下げ用ワイヤー取付フック、電線を付ける事により、
収納、増設の手間を少なくし、固定用ワイヤーにより台風などの強風に
よる揺れを軽減できるLED植物灯である。
【請求項２】
前記LED植物灯は、既存の植物灯吊り下げ用ワイヤーに吊り下げ用
ワイヤー取付フックを掛けることにより設置が可能となる。
【請求項３】
前記LED植物灯は、筐体より電源接続用の電線を引き出す事で電源への
接続を容易に行え、施工の手間を省く事が可能となる。
【請求項４】
前記LED植物灯は、独立して点灯する事が可能であり、複数個のLED植物
灯を設置した場合において、うち１つが破損した場合でも他のLED植物灯の
点灯に影響を与えない。
【請求項５】
前記LED植物灯は吊り下げ用ワイヤーに、吊り下げ用ワイヤー取付フック
を用いて固定せず吊り下げられ、可動する事が可能となり、LED植物灯を
たぐり寄せて収納することが可能となる。
【発明の詳細な説明】
【技術分野】
【０００１】
本発明は今まで吊り下げ用ワイヤーに防水ソケットを固定して、植物
電球を使用していた植物灯に代わり、吊り下げ用ワイヤーに吊り下げ用
ワイヤー取付フックで吊り下げて可動式にし、また、LED植物灯筐体から
電源へ接続するための電線を取り付けることにより、容易にLED植物灯
の施工、増設が可能となるばかりか、吊り下げ用ワイヤー上を可動できる
ことで収納も容易におこなえるLED植物灯を提供するものである。
【背景技術】
【０００２】
従来の植物電球を取り付けるためには、ソケットを必要としていたが、
ソケットとランプ部分を合わせた一体型のLED植物灯を開発することで
可動することが可能となった。
【発明の概要】
【発明が解決しようとする課題】
【０００３】
解決しようとする問題点は、従来の植物灯で吊り下げ用ワイヤーに
ソケット部分が固定される構造となっており、植物灯の施工、増設に
手間がかかるばかりか、屋外使用時に起こりうる台風などの強風に備えて
植物灯を収納する事ができなかった。
【課題を解決するための手段】
【０００４】
本発明は、電源を供給するソケット部分とランプ部分を一体型とする
ことで、従来までの、ソケット部分を吊り下げ用ワイヤーに固定すること
をせず、吊り下げ用ワイヤー取付フックによる設置を可能とし、またLED
植物灯の筐体部分から出る電線を接続する事で電源の供給を簡単にでき
る様になり、施工、増設が容易におこなえるようになる。
また、吊り下げ用ワイヤーに固定する事をせず、可動式とした事で、吊り
下げ用ワイヤー上を自由に動かせるようになり、収納も容易におこなえる
ようになる。
【発明の効果】
【０００５】
従来までソケットを固定する必要があったため、施工や増設に手間が掛
かっていたが、吊り下げ用ワイヤーに簡単に設置できるようになることで、
施工が簡単になり、増設にも柔軟に対応できるようになる。
また、吊り下げ用ワイヤーに吊り下げ用ワイヤー取付フックを使用して
掛ける事で、吊り下げ用ワイヤー上を可動でき、屋外での使用時に起こり
うる台風などの強風対策としてLED植物灯をまとめて収納することで、
強風による揺れから植物灯の破損を守る事ができるようになる。   
【図面の簡単な説明】
【０００６】
【図１】LED植物灯の外観を示した図である。
【図２】LED植物灯の設置イメージを示した図である。
【図３】LED植物灯の収納方法を示した図である。
【図４】LED植物灯の独立点灯のイメージを示した図である。
【発明を実施するための形態】
【０００７】
図１から図４を参照して本発明の実施形態を説明する。なお、本発明は
その主旨に反しない範囲で、実施例において説明した構成以外に対しても
適用可能である。
【０００８】
図１は、本発明の実施例におけるLED植物灯の外観図であり、同図で
示すようにLED植物灯本体と吊り下げ用ワイヤー取付フック１、電線２、
固定用ワイヤー取付用金具３、固定用ワイヤー４からなる。
【０００９】
図２本発明の実施例におけるLED植物灯の設置イメージ図であり、同図
で示すように支柱５に張られている吊り下げ用ワイヤー６にLED植物灯
の吊り下げ用ワイヤー取付フックを用いて吊るし、LED植物灯どうしの
電線２を接続、固定用ワイヤー４及び７を用いてLED植物灯どうしを相互
に固定させて設置する。
【００１０】
図３は、本発明の実施例におけるLED植物灯の収納方法であり、同図で
示すように支柱５に取り付けられていた固定用ワイヤー７を取外し、固定
用ワイヤーを引っ張る事により、LED植物灯をたぐり寄せて容易に収納
する事ができる。
【００１１】
図４は、本発明の実施例におけるLED植物灯の独立点灯イメージ図で
あり、同図で示すように複数設置した場合に、途中の１つが不点灯と
なっても不点灯となったLED植物灯以外は点灯する事ができる。
【符号の説明】
【００１２】
１  吊り下げ用ワイヤー取付フック
２  電線
３  固定用ワイヤー取付用金具
４  固定用ワイヤー
５  支柱
６  吊り下げ用ワイヤー
７  固定用ワイヤー
【図１】
2013255435.tif 000003
【図２】
2013255435.tif 000004
【図３】
2013255435.tif 000005
【図４】
2013255435.tif 000006
(57)【要約】【課題】本発明は一般家庭の電源を使わずに車両のダイナモ（発電器）を使用し蓄電ボックスを一般家庭に電源として提供する【解決手段】車両のダイナモ（発電器）から充電器複数を１つのボックスに入れ走行時に充電（蓄電）する【選択図】図１
2013255407.tif 000002
【特許請求の範囲】
【請求項１】
自動車のダイナモ（発電器）から蓄電池（バッテリー）複数に走行しながら充電する
【発明の詳細な説明】
【技術分野】
【０００１】本発明は一般道路、高速道路を利用走行し発電器（ダイナモ）で蓄電池に蓄電し一般家庭に電源として使用します
【背景技術】
【０００２】従来車両（自動車）は、発電器（ダイナモ）１個と充電器（バッテリー）それを発電器（ダイナモ）複数と蓄電器複数入りボックスに入れて車両とボックスを簡単に取り外し出来る様にしたもの
【発明が解決しようとする課題】
【０００３】そのために次のような問題点があった
（イ）蓄電池満タン時にすぐに空の蓄電池に交換出来ない
【課題を解決するための手段】
【０００４】過充電防止のためにスイッチを取り付けました
【発明の効果】
【０００５】雨の日も風のない日も蓄電出来る
高速道路走行の無駄な走行を有効利用する
【発明を実施するための最良の形態】
【０００６】以下、本発明の実地の形態を説明する
（イ）ダイナモ発電（１）をし接続を（３）通して（４）に蓄電する
（ロ）フル蓄電をし  た蓄電ケース（６）を取り外す
（ハ）取り外した蓄電ケース（６）共に一般家庭に電源として提供する
【図面の簡単な説明】
【０００７】
【図１】  本発明の斜視図
【図２】  本発明の使用形態を示す視図
【符号の説明】
【０００８】（１）ダイナモ（発電器）  （２）過充電防止スイッチ  （３）接続金具  （４）蓄電器  （５）車体との取り付け金具  （６）蓄電ケース
【図１】
2013255407.tif 000003
【図２】
2013255407.tif 000004
(57)【要約】【課題】  従来の定規の形状は、平面的なものであり、定尺寸法を連続して測定、線引きまたは切断することが手間であった。特にキッチンバットに作成したゼリーやケーキ等を等間隔に切断するときは、事前に寸法を測定し、印を付けて、印に合わせて定規で切断することが必要であった。【解決手段】  定規の断面を定尺の三角形、四角形または放射状の立体形状にすることにより、対象物の上を転がすことで、対象物に定尺間隔の線を引いたり、対象物を定尺で切断したりできる。【選択図】図１
2013255983.tif 000002
【特許請求の範囲】
【請求項１】
断面を定尺の三角形、四角形または放射状の立体形状にすることを特徴とする定規。
【請求項２】
対象物の上を転がすことで、対象物に定尺間隔の線を引いたり、対象物を定尺で切断したりできることを特徴とする請求項１記載の定規。
【発明の詳細な説明】
【技術分野】
【０００１】  この発明は、定尺寸法の測定、線引きまたは切断等に用いる定規の形状に関する。
【背景技術】
【０００２】  従来の定規の形状は、図３に示すように、平面的なものである。
【先行技術文献】
【特許文献】
【０００３】
【特許文献１】
【非特許文献】
【０００４】
【非特許文献１】
【発明の概要】
【発明が解決しようとする課題】
【０００５】  従来の定規の形状は、図３に示すように、平面的なものであり、定尺寸法を連続して測定、線引きまたは切断することが手間であった。
特にキッチンバットに作成したゼリーやケーキ等を等間隔に切断するときは、事前に寸法を測定し、印を付けて、印に合わせて定規で切断することが必要であった。
そこで、この発明は、ゼリーやケーキ等の対象物の上で転がすことにより、簡単に等間隔に線引きまたは切断できる定規を提供することを課題とする。
【課題を解決するための手段】
【０００６】  以上の課題を解決するために、定規の断面を定尺の三角形、四角形または放射状の立体形状にすることを特徴とする定規である。
【発明の効果】
【０００７】  定規の断面を定尺の三角形、四角形または放射状の立体形状にすることにより、対象物の上を転がすことで、対象物に定尺間隔の線を引いたり、対象物を定尺で切断したりできる。
たとえば、１辺が１ｃｍの正三角柱であれば、転がす回数によって１ｃｍ、２ｃｍ等の等間隔で容易に線を引くことができる。
【図面の簡単な説明】
【０００８】
【図１】この発明の一実施形態を示す斜視図である。
【図２】この発明の一実施形態を示す断面図である。
【図３】従来技術を示す斜視図である。
【発明を実施するための形態】
【０００９】  この発明の一実施形態を、図１および図２に示す。
図１の定規本体１は文房具用はプラスチック製、調理用は耐熱プラスチック製または金属製等であり、１辺以上に計測用の目盛２が設けられている。辺毎に異なる種類の目盛を設けることができる。
図２は定規断面３を示すが各辺が１ｃｍまたは２ｃｍ等の定尺の正三角柱の立体形状になっている。端面に補助線４を設けることで、簡易的に角度を計測することが可能であり、ホールケーキ等を４分の１（９０度）、６分の１（６０度）または１２分の１（３０度）等に容易にカットすることができる。
【００１０】「実施形態の効果」
この実施形態によれば、定規断面３の働きで、対象物の上を転がすことによって簡単に対象物上の定尺位置を把握することができる。定規の長辺を使用することにより、簡単に把握した定尺位置に線を引いたり、切断したりすることができる。
「他の実施形態」
図１および図２の実施形態では、定規断面３は三角形であったが、他の実施形態では、定規断面３は四角形以上の多角形や放射状の立体形状でも良い。
【符号の説明】
【００１１】１  定規本体            ２  目盛
３  定規断面            ４  補助線
【図１】
2013255983.tif 000003
【図２】
2013255983.tif 000004
【図３】
2013255983.tif 000005
(57)【要約】      （修正有）【課題】漬け上がった漬物を取り出すとき、重石を取り外して他の場所に置くが、取り出すたびに、重石に漬け汁が付着するのを防止できる押し蓋を提供する。【解決手段】押し蓋の重石１を載せる面に突起２aを設け、それに載せられた重石と押し蓋の間に隙間を確保し、押し蓋の上面に滲出した漬け汁で重石が汚れないようにする。【選択図】図１
2013201900.tif 000002
【特許請求の範囲】
【請求項１】
漬物用押し蓋の重石を載せる面に重石が直接載らないように突起を設けた押し蓋。
【発明の詳細な説明】
【技術分野】
【０００１】
本発明は、漬物の重石が漬け汁に接して汚れるのを防止し、重石を衛生的に取り扱える
ようにする漬物押し蓋に関するものである。
【背景技術】
【０００２】
従来漬物用押し蓋は丸型・角型など容器の形に合わせた形状のものが使用されている。
漬物材に食塩をふり下漬すると数日で漬け水が押し上がり、一定量押し上がると限界に達して押し上がりは激減する。
（イ）押し上がった漬け水は漬物材料を浸漬し、かつ押し蓋をかすめる程度残して廃棄し、唐辛子など好みに応じた薬味やだしを加え本漬けに入る。
（ロ）あるいは押し上がった漬け水は全て廃棄し、さらに搾り、滲出した漬け水を廃棄した後、唐辛子や薬味を加え、さらにだし汁を漬物材料に十分浸漬しかつ押し蓋をかすめるていど加え本漬けに入る。
(イ)(ロ)などの手法で本漬けに入った以降の液体はここでは漬け汁と呼称する。
そして漬け上がった頃合に、重石を取り外して押し蓋は容器内に立てかけ漬物を取り出すが、押し蓋に直接接していた重石は押し蓋の上部に滲出した漬け汁に接しており汚れている。
また、過去に出願のあった押し蓋(特許文献1)は、二枚の板体が連結具で折り曲げ自在な蓋体と二枚の板体上面に、適時両板体にまたがって(特許文献1の図５・６・７参照)上載せしめられるようになっている耐酸性の漬物石上載用板体を具えたことを特徴とする漬物容器用蓋(特許文献1参照)とあるので、蓋が二つ折りの構造であるため漬物材の凹凸によって蓋が谷型になったり山型になったりするのを抑止するのが目的と思われる。
また重石と上載用板体および蓋体は平面的に上下に連なっており漬物石の隙間は確保されておらず漬け汁をシャットアウトしきれない、これはあくまで蓋の構成部品であり重石の汚れを防止できない。
【先行技術文献】
【特許文献】
【０００３】
【特許文献１】実用新案公開昭５１−１３３３８９
【発明の概要】
【発明が解決しようとする課題】
【０００４】
そのため漬けあがった漬物を取り出すとき、重石を取り外し他の場所に置くが、漬物をとり出すたび毎回重石を置いた場所が汚れる、これは重石が汚れているために発生する事象であるが不衛生なため毎回清掃する必要があった。  
よって重石を置いた場所が汚れないようにする必要がある。  
【課題を解決するための手段】
【０００５】
本漬けに入って漬け汁は食塩を追加しない限りほとんど増加しないか、増加しても些少である。
そこで、本漬けでは、重石と押し蓋の間の隙間が漬け汁の些少の増加があっても維持される程度の突起を設けた押し蓋を使用する。
そうすれば重石は滲出した漬け汁に接触せず汚れない。
以上を特徴とする漬物用押し蓋である。
【発明の効果】
【０００６】
本発明により、重石は汚れないため、漬物を取り出すたびに重石を外して他の場所に置いても、置いた場所が汚れず衛生的で清掃する必要はない。
【図面の簡単な説明】
【０００７】
【図１】想像正面図および使用概念図
【図２】本発明一体成型の全体斜視図
【図３】図２の底面図
【図４】図６の押し蓋(５)の突起取り付け孔(５ｂ)に突起部品セット後の斜視図
【図５】突起部部品斜視図
【図６】図４の平面図
【図７】図６一部切断Ａ-Ａの断面図および図６の一部側面図
【発明を実施するための形態】
【０００８】
以下、本発明の実施の形態について説明する。
使用する重石は一般市販品を想定している。
(イ)  図２の漬物用押し蓋(２)の重石を載せる面に３箇所以上複数箇所に突起(２ａ)を同心円上に設けて一体成型する。
これは重石の底面に周回している凹部と押し蓋の突起部が嵌合するサイズの重石のみ使用できる。
(ロ)  図６の漬物用押し蓋(５)に３箇所以上複数の孔(５ｂ)を同心円上に設け、同様に３箇所以上複数の孔(５ｃ)を、孔(５ｂ)より円心寄りの同心円上に設けている。これは複数のサイズの重石を使い分け利用できるようにしたもので図６の孔(５ｂ)に適合する重石を用いる時は孔(５ｂ)に図５の突起部品 (６)をネジ  (７)でセットし、１ランク小のサイズの重石を用いる場合は図６の孔(５ｃ)に図５の突起部品(６)をネジ(７)でセットして用いる。
【実施例】
【０００９】
一般市販の合成石の重石は、同一サイズの重石を重ねて使用するときのために、下面には凹部が周回しており、上面には円心から下面と同一寸法の凸部が周回して設けてられており、重ねたときにぴたりと嵌合するように出来ている。
図１で説明すると、本発明の押し蓋(２)の突起部(２ａ)は、重ねた重石の凸部同様に重石の凹部(１ｃ)に嵌るように寸法設定されていて、ぴたり収まり嵌合する。よって、押し蓋(２)と重石の間には、突起部(２ａ)によって重石が漬け汁に直接接しない程度の適当な隙間が確保され、だし汁によって汚れることはない。
【符号の説明】
【００１０】
１ 重石本体  
1a 取っ手  
1b 凸部  
1c 凹部  
２ 一体成型押し蓋  
２a 突起  
２b 漬け水流動孔  
３ 漬物容器  
４ 漬物材  
５ 押し蓋  
５a 漬け水流動孔  
５b 突起取り付け孔  
５ｃ 突起取り付け孔  
６ 突起部品  
７ ネジ
【図１】
2013201900.tif 000003
【図２】
2013201900.tif 000004
【図３】
2013201900.tif 000005
【図４】
2013201900.tif 000006
【図５】
2013201900.tif 000007
【図６】
2013201900.tif 000008
【図７】
2013201900.tif 000009
(57)【要約】【課題】従来の構造物の載荷試験装置では，供試体上面，下面ともに複雑な機構を持つ装置が接続されるため，自由度に制約が多く、アクチュエータの配置変更も必要という問題点を解決することを課題とする。【解決手段】平行に配置した複数の支柱により上下面間の相対回転を拘束する機構と、  並進3方向の変位および荷重成分は独立に制御できる機構と、  回転拘束する鋼板と供試体の鉛直相対変位のみを許容するためのスライド機構とを備える3次元構造物載荷における平行維持装置。【選択図】図１
2013195276.tif 000002
【特許請求の範囲】
【請求項１】
平行に配置した複数の支柱により上下面間の相対回転を拘束する機構と、
並進3方向の変位および荷重成分は独立に制御できる機構と、
回転拘束する鋼板と供試体の鉛直相対変位のみを許容するためのスライド機構とを備える3次元構造物載荷における平行維持装置。
【発明の詳細な説明】
【技術分野】
【０００１】
本発明は、3次元構造物載荷における平行維持装置に関するものである。
【背景技術】
【０００２】
積層ゴム支承など構造物の載荷実験においては，実験供試体の上下面の平行を保持したまま，水平方向の荷重を加えてせん断変形を与える試験が行われる。この際，一般に，上下方向には荷重制御により鉛直力を与えるため，試験中には供試体の上下面間の高さが変化する。そのため，このような試験を実施するには，供試体の高さの変化に追随しつつ上下面の相対回転を拘束してその平行を保つ特別な装置が必要となる。
このような試験の実施例として（非特許文献１）が挙げられる。この試験装置では，供試体上面と鉛直アクチュエータとの間に軸力ボックスが挿入され，この軸力ボックスが外部のフレームに配置したリニアガイドに沿って上下方向のみに動作する。これにより，供試体の上下方向の変位に追随しつつ鉛直アクチュエータによる鉛直力を供試体に伝達するとともに，供試体上面での回転運動を拘束する。一方，水平2軸のアクチュエータは供試体下面側に連結され，水平2方向への変位，荷重を供試体へ与える。水平のアクチュエータが連結される供試体下面はスライドテーブル上に配置され，これにより回転運動が拘束される。このように，供試体上面側の軸力ボックスと供試体下面側のスライドテーブルがともに回転拘束されることで，供試体上下面の相対回転の拘束を実現する。
【先行技術文献】
【非特許文献】
【０００３】
【非特許文献１】免震用積層ゴム支承の水平2方向を含む復元力特性とそのモデル化，土木学会論文集，No。696/I-58，pp。125-144，2002.
【発明の概要】
【発明が解決しようとする課題】
【０００４】
しかし、上記非特許文献１では，上下面間の水平を保つことが可能となるが，軸力ボックスおよびリニアガイドが回転拘束のためのモーメントを受け持つために大規模な装置が必要となる。
【０００５】
一般的な載荷試験では，供試体下面をテストベッドに固定し，上面側にアクチュエータを連結することにより，試験が実施される。一方，非特許文献１では，供試体上面側に鉛直アクチュエータおよび軸力ボックスが，下面側に水平アクチュエータおよびスライドテーブルが接続される。供試体上面，下面ともに複雑な機構を持つ装置が接続されるため，従来の試験に比べ供試体設置の自由度に制約が多いものとなる。
さらに、一般的な載荷装置では，供試体およびジグの交換のみで上下面間の平行を拘束しない他の試験と試験装置を共用することが可能であるが， 非特許文献１の装置では，アクチュエータの配置変更も必要となる。
【０００６】
本発明は上課題を解決することを目的とする。
【課題を解決するための手段】
【０００７】
上記目的を達成するため、本発明は、
平行に配置した複数の支柱により上下面間の相対回転を拘束する機構と、
並進3方向の変位および荷重成分は独立に制御できる機構と、
回転拘束する鋼板と供試体の鉛直相対変位のみを許容するためのスライド機構とを備える3次元構造物載荷における平行維持装置を提供する。
【図面の簡単な説明】
【０００８】
【図１】本装置の第１実施形態の構造を模式的に示した図である。
【図２】本装置の動作を模式的に示した図である。
【発明を実施するための形態】
【０００９】
（第１実施形態）
図１は第１実施形態の構造を模式的に示したものである。実験供試体１は本発明の上下に配置された鋼板２および３に固定される。この鋼板２，３は変形が生じないよう実験供試体に比べ十分に剛性を有する。鋼板２，３は支柱４を介して接続される。支柱４はその両端を球状の形状４ａ，４ｂを持ち，４ａ，４ｂはホルダー５，６に囲まれる構造とする。ホルダー５，６の内面は４ａ，４ｂの球形と同一半径を持つ球状に加工されており，ホルダー５と４ａ，ホルダー６と４ｂは自由に回転できるものとする。ホルダー５，６はそれぞれ鋼板２，３と固定される。また，円筒７は一方を供試体１の上面，他方をアクチュエータ８に接続されたボールジョイント９に固定される。円筒７は鋼板３に固定された円筒１０の内側を貫通し，また円筒７の外径と円筒１０の内径を一致させることで円筒７と円筒１０は密着し，鉛直方向の相対変位および鉛直軸回りの相対回転を除いて拘束される。
【００１０】
図２は第１実施形態の動作について模式的に示したものである。 アクチュエータ８により水平変位が与えられた際には，アクチュエータ８の動作と一致して円筒７が変位し供試体１に変形を生じさせる。また，円筒７の動作に追随し円筒１０および鋼板３，ホルダー６が水平方向へ変位する。これにより支柱４に傾きが生じるが，支柱４はすべて同一の長さであるため鋼板２と鋼板３は平行が保持される。円筒１０を介して円筒７における鋼板３に対する水平２軸まわりの相対回転が拘束されるため，供試体１の上面は平行を保持することができる。なお，この傾きにより鋼板３が下側へ変位するが，円筒７と円筒１０がスライドできる構造を有することにより，鋼板３の鉛直変位は円筒１０，供試体１へ影響を与えない。
【符号の説明】
【００１１】
１      実験供試体
２      鋼板（供試体下側）
３      鋼板（供試体上側）
４      支柱
４ａ    球状に加工された支柱端部（下側）
４ｂ    球状に加工された支柱端部（上側）
５      ホルダー（下側）
６      ホルダー（上側）
７      円筒（内側）
８      アクチュエータ
９      ボールジョイント
１０    円筒（外側）
【図１】
2013195276.tif 000003
【図２】
2013195276.tif 000004
(57)【要約】【課題】洗濯の温排水を回収するフレキシブルチューブ式の熱交換器で熱交換した場合、▲１▼洗濯排水に含まれる繊維屑がフレキシブルチューブの伝熱部に付着する事、▲２▼排水ピット内の排水の下部層と上部層に温度差が生じ熱交換効率が低下すること、の２点の課題が生じる。【解決手段】フレキシブルチューブを電動トルクモーターで上下に震幅させる。【選択図】図１
2013195053.tif 000002
【特許請求の範囲】
【請求項１】
［００１２］
▲３▼フレキシブルチューブを▲５▼トルクモーターで上下に振幅させると、振動により排水が攪拌され、糸屑が踊りながら排水の流れに沿って排水される。
［００１３］
▲３▼フレキシブルチューブを▲５▼トルクモーターで上下に振幅させると、振動により排水が攪拌され、排水の上部層と下部層の温度均一となり熱交換の効率が向上する。
【発明の詳細な説明】
【技術分野】
【０００１】この発明は、洗濯の温排水を排水ピットの中に漬け置きしたフレキシブルチューブ式熱交換器のチューブを上下振幅させ、チューブへの繊維屑の付着の防止と熱の回収率を向上させる装置に関するものである。
【先行技術文献】
【０００２】洗濯排水を回収するフレキブルチューブを利用した熱交換器に付帯する開発です。
【発明が解決しようとする課題】
【０００３】洗濯の温排水を回収するフレキシブルチューブ式の熱交換器で熱交換した場合、▲１▼洗濯排水に含まれる繊維屑がフレキシブルチューブの伝熱部に付着する事、▲２▼排水ピット内の排水の下部層と上部層に温度差が生じ熱交換効率が低下すること、の２点の課題が生じる。
【課題を解決するための手段】
【０００４】フレキシブルチューブを電動トルクモーターで上下に震幅させる。
【発明の効果】
【０００５】▲１▼フレキシブルチューブを上下に振幅させる事で、チューブの表面に繊維屑の絡み付きを防止できる。
▲２▼排水槽の排水が攪拌され排水の上部層と下部層の温度が均一になり熱交換効率が向上する。
【図面の簡単な説明】
【０００６】
【図１】の説明  フレキシブルチューブを上下に振幅させる仕組みを示したフロー。
【図２】の説明  連続洗濯装置の洗濯水と洗濯排水の熱交換の仕組みを図示すフロー。
【発明を実施するための形態】
【０００７】以下、本発明に実施の形態を図１〜図２に基づいて説明する。
【０００８】［図１］においては、▲１▼開放式の排水ピット▲２▼フレキシブルチューブを束ねる管寄▲３▼フレキシブルチューブ▲４▼排水を一時貯める為の堰▲５▼フレキシブルチューブを上下に振幅させる為のトルクモーターで構成されている。
【０００９】▲１▼の開放式の排水ピットの中に配管５．から洗濯の温排水が流され配管８．より排水槽へ排出される。
【００１０】配管１．から給水された新水は▲３▼のスパイラルフレキシブルチューブを通過し、排水ピットを流れる温排水と熱交換し温水として配管２．へ供給される。
【００１１】配管５．から排出される洗濯の排水には、洗濯時の繊維屑が混入しており▲３▼フレキシブルチューブに糸屑が絡みつく。
【００１２】▲３▼フレキシブルチューブを▲５▼トルクモーターで上下に振幅させると、振動により排水が攪拌され、糸屑が踊りながら排水の流れに沿って排水される。
【００１３】▲３▼フレキシブルチューブを▲５▼トルクモーターで上下に振幅させると、振動により排水が攪拌され、排水の上部層と下部層の温度均一となり熱交換の効率が向上する。
【００１４】［図２］においては、連続洗濯装置にフレキシブルチューブ式熱交換器を組み込んだフローである。
【実施例】［図２］は、リネンサプライ工場で使用している連続洗濯装置のフローの一例である。
洗濯後の高温排水を排水ピットに流して浄化槽へ排出している。排水ピットの中にスパイラルフレキシブルチューブを漬け置きし、洗濯用の新水と熱交換させ洗濯水の温度を予熱する。
【産業上の利用可能性】リネン工場で使用されている連続洗濯機は洗浄力を高める為、洗濯水をスチームで加熱している。高い温度の排水であるが、洗濯後の排水は汚れている為熱回収が出来ないでいたが、この発明で熱回収が可能となった。フレキシブルチューブの総面積に拠るが省エネ率５０％以上の削減になる。二次的効果として、排水の温度が低下することにより浄化槽のバクテリアの繁殖環境が良くなる。
【符号の説明】
【０００９】▲１▼開放式排水ピット  ▲２▼フレキシブルチューブ管寄  ▲３▼スパイラルフレキシブルチューブ  ▲４▼堰  ▲５▼振幅装置  ▲６▼連続洗濯装置
【図１】
2013195053.tif 000003
【図２】
2013195053.tif 000004
(57)【要約】【課題】  ペットボトル内に入れた、好みのドリンクを、冷えた状態で長時間持ち運べるようにするために、ボトル内に氷を投入しておきたいが、ボトルに入る大きさの氷は容易に入手できない。【解決手段】ペットボトルに入り易くするために、なお内径２０ｍｍの円筒を通過できる寸法・形状で、且つ、長時間の冷却能力が保てるために重さ５ｇ以上の氷を製氷、保存でき家庭用冷蔵庫を発明した。【選択図】図１
2013195050.tif 000002
【特許請求の範囲】
【請求項１】
内径２０ｍｍの円筒を通過できる寸法・形状で、重さが５ｇ以上の氷を製氷・保存できる、家庭用冷蔵庫。
【発明の詳細な説明】
【技術分野】
【０００１】  本発明は、ペットボトルに入れることができる寸法・形状の氷が供給できる、家庭用冷蔵庫に関するものである。【０００２】  近年ペットボトル入りのドリンク類が多数出回り、この空ボトルを利用して、中に水・麦茶・ウーロン茶などの自分の望みのドリンクを入れて外出する機会が多くなっている。【０００３】  特に夏場は、冷えたドリンクを望む人が多いので、中に氷を入れておけば、当分の間、冷たい状態が保たれる。【０００４】  家庭用冷蔵庫は、通常自動製氷装置を有し、個々の氷は、自動的に出来上がり、庫内に保存される。したがって、この氷がペットボトルに収納できれば、問題はない
【発明の概要】
【発明が解決しようとする課題】
【０００５】  しかし、これらの氷は直方体あるいは、立方体に近い形状のものが多く、直径約２０ｍｍのペットボトルの穴を通過できるものはない。図２はその代表的な例である。【０００６】  一方、直方体の氷で、ペットボトルの口を通過できるようにするためには、一辺を約１４ｍｍ以下にする必要がある。一辺を約１４ｍｍにすると、氷の重さは３ｇ以下になってしまい、短時間で、融けてしまう。【０００７】  長時間に亘り冷却能力を保つためには、５ｇ以上で、ペットボトルに入り得る氷が望まれる。
【課題を解決するための手段】
【０００８】  本発明は、上記課題を解決するために、内径２０ｍｍの筒を貫通できる形状・寸法で、且つ筒方向の長さを調整して、５ｇ以上の重さの氷を製氷・保存できる冷蔵庫とした。【０００９】  図１はその氷の一例で、供給できる氷の寸法・形状は、直径１９ｍｍ、長さ３０ｍｍの円柱状である。
【発明の効果】  このような寸法・形状の氷であると、容易にペットボトルに収納でき、且つ、重さは５ｇ以上なので、冷却能力も十分に確保できる。【００１０】  図３は他の応用例で、供給できる氷を、一辺９ｍｍ、高さ３５ｍｍの六角柱とした。【００１１】  この氷は、口径２０ｍｍのペットボトルの口を容易に通過でき、且つ、重さは５ｇ以上なので、ペットボトル内で、十分に冷却機能を果たす。また角柱なので、美的効果も備えている。六角柱に限らず、例えば八角柱の氷でも同様の効果が得られる。
【図面の簡単な説明】
【００１２】
【図１】本発明による冷蔵庫で製氷した、氷の一例、直径１９ｍｍ、長さ３０ｍｍの、円柱状の氷と、ペットボトルとの関係を示す。
【図２】従来の冷蔵庫で製氷した氷の一例、直方体に近い形状の氷とペットボトルとの関係を示す。
【図３】本発明による冷蔵庫で製氷した、氷の他の一例、一辺９ｍｍ長さ３５ｍｍの六角柱状の氷を示す。
【発明を実施するための形態】
【００１３】  内径２０ｍｍの筒を貫通でき、且つ５ｇ以上の重量となるような縦長の氷が製氷できる冷蔵庫を作ることにより、できた氷は容易にペットボトルに収納できるので、特にボトルを持参して外出する時などに、冷たい液体を長時間携行することができる。
【実施例１】
【００１４】  本発明の冷蔵庫で製氷した氷の一例とペットボトルとの関係を図１に示す。図において、１は円柱状の氷、２はペットボトル、３はペットボトルの口の部分である。
【実施例２】
【００１５】  本発明の冷蔵庫で製氷した氷の他の一例を図３に示す。図において、１は六角柱状の氷である。
【産業上の利用の可能性】
【００１６】  重さ５ｇ以上で、且つペットボトルに容易に収納できる寸法・形状の氷ができる家庭用冷蔵庫が提供できる事により、ペットボトル内を容易に長時間冷やす事ができる氷が、簡単に確保でき、特に外出時、長時間に亘り、冷たいドリンクが確保できる。
【符号の説明】
【００１７】  １  氷
２  ペットボトル
３  ペットボトルの口の部分
【図１】
2013195050.tif 000003
【図２】
2013195050.tif 000004
【図３】
2013195050.tif 000005